(57)【特許請求の範囲】
【請求項１】
遊技球の落下を遅らせるため遊技者側に僅かに前下がりの傾斜板を底部に配置したセンターケースを備えるパチンコ機において、
発射ハンドルが操作されず遊技球の発射装置による発射が停止する際に、前記傾斜板の傾斜角を大きくし、遊技者側に該傾斜板の上面を向けさせ、
発射ハンドルが操作され遊技球の発射装置による発射が開始する際に、前記傾斜板の角度を小さくして、遊技球の落下を遅らせる状態にすることを特徴とするパチンコ機。
【請求項２】
前記センターケースへ進入する遊技球の通路を形成する開閉部材が、遊技球の発射装置による発射が開始する際に開き、遊技球の発射装置による発射が停止する際に閉じることを特徴とする請求項１のパチンコ機。
【発明の詳細な説明】
【０００１】
【発明の属する技術分野】
この発明は、遊技盤上にセンターケース等の構造物を配置してなるパチンコ機に関するものである。
【０００２】
【従来の技術】
パチンコ機は、遊技球の発射装置を作動させると、コーナーランプ、枠ランプ、鍵飾りランプ等を点灯させることで、遊技者が遊技を行っている状態と、遊技を行っていない状態とを識別できるようにしている。
そして、遊技者が遊技を開始してから、遊技球が入賞口へ入賞した際に、種々のランプを点灯させ、始動口に入賞したときに図柄表示装置の変動表示を開始し、盤面に設けられた色々な表示装置を点灯、点滅させ遊技を盛り上げる。
【０００３】
【発明が解決しようとする課題】
しかしながら、発射装置を作動させて遊技球を盤面に打ち出しても、入賞しない限り遊技盤面での変化が全くなく、遊技者はただ遊技球を減らすだけで遊技をしているとの実感が乏しい。
【０００４】
本発明は、上述した課題を解決するためになされたものであり、その目的とするところは、遊技球を発射している状態としていない状態とを明確に区別し得るパチンコ機を提供することにある。
【０００９】
【課題を解決するための手段】
請求項１では、遊技球の落下を遅らせるため遊技者側に僅かに前下がりの傾斜板を底部に配置したセンターケースを備えるパチンコ機において、
発射ハンドルが操作されず遊技球の発射装置による発射が停止する際に、前記傾斜板の傾斜角を大きくし、遊技者側に該傾斜板の上面を向けさせ、
発射ハンドルが操作され遊技球の発射装置による発射が開始する際に、前記傾斜板の角度を小さくして、遊技球の落下を遅らせる状態にすることを技術的特徴とする。
【００１０】
請求項１では、遊技球の発射装置が停止している間（遊技球の発射が停止されている際）に、傾斜板の傾斜角を大きくし、遊技者側に該傾斜板の上面を向けさせる。発射装置が動作している間（遊技球が発射される際）に、傾斜板の角度を小さくして遊技球の落下を遅らせる状態にする。このため、遊技球を発射している状態としていない状態とを明確に区別でき、遊技者に遊技開始を強く印象づけ、遊技の興趣を高めることが可能になる。
請求項２では、センターケースに開閉部材を設け、発射装置が作動状態になると、開閉部材を開き、センターケースへの遊技球の進入を可能にする。このため、遊技球を発射している状態としていない状態とを明確に区別でき、遊技者に遊技開始を強く印象づけ、遊技の興趣を高めることが可能になる。
【００１４】
【発明の実施の形態】
以下、本発明のパチンコ機の実施形態について図を参照して説明する。
なお、以下の第１実施形態では、本発明のパチンコ機として、ＣＲ第１種のパチンコ機を代表に説明する。まず、第１実施形態のパチンコ機の主要構成について、本実施形態のパチンコ機を正面から見た説明図である図１を参照して説明する。
【００１５】
パチンコ機１０には、内枠１１が開閉可能に備えられており、その内枠１１には、金枠１２が開閉可能に取付けられており、さらに金枠１２には、ガラス枠２６が開閉可能に取付けられている。ガラス枠２６の裏面側には、遊技盤１３が配置されており、この遊技盤１３の左方には、発射された遊技球を案内するガイドレール１４が設けられている。内枠１１の右側には、ガラス枠２６開閉用の鍵を差し込む鍵穴１５を備えた鍵穴飾り１６が設けられている。
【００１６】
ガラス枠２６の下には、前面板１８が設けられており、この前面板１８の左側上部には、賞球が導出される上皿賞球排出口１９が形成されており、この上皿賞球排出口１９の排出側には、その上皿賞球排出口１９から排出された賞球を溜めておくための上皿２０が取り付けられている。上皿２０の下方には、その上皿２０で収容しきれなくなった賞球を排出するための下皿賞球排出口２１が形成されており、この下皿賞球排出口２１の排出側には、その下皿賞球排出口２１から排出された賞球を溜めておくための下皿２２が設けられている。
【００１７】
下皿２２の右方には、上皿２０から供給された遊技球を遊技盤１３へ発射する発射モータ（図示せず）を操作するための発射ハンドル２３が、回転可能に取付けられており、その発射ハンドル２３には、発射途中で発射を停止するための発射停止ボタン２４が設けられている。また、上皿２０の右方には、上皿２０に溜められた賞球を下皿２２へ抜くための上皿球抜きレバー２５がスライド可能に取付けられている。さらに、パチンコ機の左側には、プリペイドカードを挿入するスリット２７ａを有するプリペイドカードユニット２７が設けられている。
【００１８】
次に、遊技盤１３の構成について図２を参照して説明する。
遊技盤１３の略中央にはセンターケース３０が配置されている。センターケース３０には、天入賞口３１と、３個のＬＥＤからなる普通図柄表示装置３２と、この普通図柄表示装置３２の始動される回数を表示する４個のＬＥＤからなる普通図柄記憶表示ＬＥＤ３３と、液晶表示で特別図柄を表示する特別図柄表示器３４と、この特別図柄表示器３４の始動される回数を表示する４個のＬＥＤからなる特別図柄記憶表示ＬＥＤ３５とが備えられている。
【００１９】
センターケース３０の側部には、センターケース３０内への遊技球の導入を可能にする開閉部材３７が設けられている。また、センターケース３０の底部には、遊技球の落下を遅らせるための傾斜板３６が配置されている。傾斜板３６の上面には、種々の遊技情報を表示するための液晶板からなる遊技情報表示部３６ａが配設されている。
【００２０】
センターケース３０の左右には、普通図柄表示装置３２を作動させるための普通図柄作動ゲート４０，４０が設けられている。センターケース３０の下方には、特別図柄表示器３４を作動させるための第１種始動口４１が設けられており、この第１種始動口４１の下部には普通図柄表示装置３２の停止図柄が所定の当たり図柄となった場合に開放される普通電動役物４２が設けられている。開放された普通電動役物４２は、第１種始動口４１と同様に、特別図柄表示器３４を作動開始させる機能を備えている。
【００２１】
第１種始動口４１の下方には、当たりの発生時に開放される扉形式の大入賞口５１が開閉可能に取り付けられており、この大入賞口５１の両側には、普通入賞口５２，５２がそれぞれ設けられている。また、大入賞口５１の内部には、特定領域５３が形成されている。
【００２２】
遊技盤１３の下方には、入賞しなかった遊技球をアウト球として回収するアウト口６５とが設けられている。
【００２３】
第１実施形態のパチンコ機では、発射ハンドル２３（図１参照）を操作すると、センターケース３０の開閉部材３７及び傾斜板３６が作動するように構成されている。この作動について図２〜図４を参照して説明する。
上述した図２は、発射ハンドル２３を操作しない状態（発射装置の停止中）の遊技盤１３を示している。一方、図３は、発射ハンドル２３を操作し、遊技球を発射している状態（発射装置の動作中）の遊技盤１３を示している。図４（Ａ）、図４（Ｂ）は、遊技盤１３の略中央に配設されたセンターケース３０を示しており、図４（Ａ）は、図２に示す発射ハンドル２３を操作しない状態のセンターケース３０を、図４（Ｂ）は、図３に示す発射ハンドル２３を操作して、遊技球を発射している状態のセンターケース３０を示している。
【００２４】
発射ハンドル２３を操作しない状態では、図４（Ａ）に示すようにセンターケース３０の側部に設けられた開閉部材３７が閉じられ、また、センターケース３０の底部の傾斜板３６は、傾斜角を大きくして上面の遊技情報表示部３６ａを遊技者側へ向けている。ここで、遊技情報表示部３６ａは、上述したように液晶板から成り、当該パチンコ機の大当たり確率（この例では１／３１５）、本日の大当たり発生回数（この例では１２回）、及び、前回大当たりが発生してからの特別図柄表示器３４の変動回数（この例では１２３回）を表示している。ここで、発射ハンドル２３を操作しない、即ち、パチンコ機に遊技者が付いていない状態においては、傾斜板３６を起こして遊技情報表示部３６ａを遊技者側に見や易いようにし、仕様、スペック、ゲーム性等を知らしめる。
【００２５】
そして、パチンコ機に客が付き、発射ハンドル２３が操作されて遊技球が発射されると、図４（Ｂ）に示すようにセンターケース３０の側部に設けられた開閉部材３７を開き、遊技球が側方からセンターケース３０内に入り込めるようにする。また、センターケース３０の傾斜板３６は、傾斜角度を小さくし、即ち、遊技者側に僅かに前下がりの状態にして、遊技球の落下を遅らせる状態にする。即ち、開いた開閉部材３７を介してセンターケース３０内に進入した遊技球は、傾斜板３６上で暫く滞留し、その後、前方（遊技者側）へ転がり落ちて行き、その内の幾つかが、図３に示す第１種始動口４１へ入賞する。この状態では、傾斜板３６上面の遊技情報表示部３６ａは、遊技者側から目に付きにくい状態になる。これは、遊技者が遊技を開始しているので、遊技に関する情報を報知する必要がないからである。このため、本実施形態では、傾斜角度を小さくした状態において、液晶板から成る遊技情報表示部３６ａのバックライトを消灯することで、遊技情報表示部３６ａの表示内容を見えにくくし、遊技者を遊技に集中させる。
【００２６】
第１実施形態では、センターケース３０に開閉部材３７を設け、遊技球が発射されると、開閉部材３７を開き、センターケース３０への遊技球の進入を可能にする。このため、遊技球を発射している状態としていない状態とを明確に区別でき、遊技者に遊技開始を強く印象づけ、遊技の興趣を高めることが可能になる。
【００２７】
また、遊技球の発射が停止されている際に、センターケース３０底部の傾斜板３６の傾斜角を大きくし、該傾斜板３６の上面の遊技情報表示部３６ａを遊技者側に向けさせる。遊技球が発射される際に、傾斜板の角度を小さくして、遊技球の落下を遅らせる状態にする。このため、遊技球を発射している状態としていない状態とを明確に区別でき、遊技者に遊技開始を強く印象づけ、遊技の興趣を高めることが可能になる。
【００２８】
更に、傾斜板３６の上面の遊技情報表示部３６ａに遊技情報を表示し、遊技球の発射が停止されている遊技がなされていないときに、傾斜板の傾斜角を大きくし遊技者側に該傾斜板の上面を向けさせる。このため、遊技が開始される前に、傾斜板の上面を遊技者側に向けて遊技情報を表示することで、遊技内容（機種の仕様、スペック、ゲーム性）を遊技者に知らしめることが可能となる。上述した例では、遊技情報として大当たりの発生確率、大当たり回数、変動回数を表示した。この代わり、又はこれと共に、時短回数、スタンバイ状態、エラー状態等を表示することも可能である。更に、第１実施形態では、遊技情報表示部３６ａを液晶板で構成し、表示内容を変えるようにしたが、大当たりの発生確率等を印刷した透光性合成樹脂板等を用いることも可能である。透光性合成樹脂板を用いる場合でも、背面に発光体を配置し、傾斜板の上面を遊技者側に向けている際に発光体を点灯することで、注意を引くようにすることが好適である。更に、ドット表示器等を用いることもできる。
【００２９】
第１実施形態では、センターケース３０の構成物を変化させたが、この代わり、またはこれと共に、サイド飾り、入賞口、ゲート、風車、普通図柄表示装置等の発光パターンを変えることで、遊技球の発射状態と、非発射状態とを識別できるようにすることもできる。
【００３０】
引き続き、図５を参照して本発明の第２実施形態に係るパチンコ機について説明する。
第２実施形態のパチンコ機は、遊技盤１３の略中央にセンターケース３０が配置されている。センターケース３０には、天入賞口３１と、３個のＬＥＤからなる普通図柄表示装置３２と、この普通図柄表示装置３２の始動される回数を表示する４個のＬＥＤからなる普通図柄記憶表示ＬＥＤ３３と、液晶表示で特別図柄を表示する特別図柄表示器３４と、この特別図柄表示器３４の始動される回数を表示する４個のＬＥＤからなる特別図柄記憶表示ＬＥＤ３５とが備えられている。
【００３１】
センターケース３０の左右には、風車６０Ａ、６０Ｂ、入賞口６２、及び、普通図柄表示装置３２を作動させるための普通図柄作動ゲート６４，６４が設けられている。センターケース３０の下方には、特別図柄表示器３４を作動させるための第１種始動口４１が設けられており、この第１種始動口４１の下部には普通図柄表示装置３２の停止図柄が所定の当たり図柄となった場合に開放される普通電動役物４２が設けられている。開放された普通電動役物４２は、第１種始動口４１と同様に、特別図柄表示器３４を作動開始させる機能を備えている。
【００３２】
第１種始動口４１の下方には、当たりの発生時に開放される扉形式の大入賞口５１が開閉可能に取り付けられており、この大入賞口５１の両側には、普通入賞口５２，５２がそれぞれ設けられている。また、大入賞口５１の内部には、特定領域５３が形成されている。
【００３３】
上述した第１実施形態では、センターケース３０の構成部材を変化させた。これに対して、第２実施形態では、風車６０Ａ、６０Ｂ、入賞口６２及び普通図柄作動ゲート６４，６４の位置を移動させる。即ち、該パチンコ機に客が付かず、遊技球が発射されていない状態においては、風車６０Ａ、６０Ｂ、入賞口６２及び普通図柄作動ゲート６４，６４を左右に往復移動させる。そして、パチンコ機に客が付き、発射ハンドルを操作して遊技球を発射させると、そのタイミングで、風車６０Ａ、６０Ｂ、入賞口６２及び普通図柄作動ゲート６４，６４の移動を停止させる。
【００３４】
この第２実施形態では、遊技球が発射されない際に、風車６０Ａ、６０Ｂ、入賞口６２及び普通図柄作動ゲート６４，６４等の構造物が位置変化するように移動し、遊技球が発射される際に、移動停止する。このため、遊技者が遊技している状態としていない状態とを明確に区別でき、遊技者に遊技開始を強く印象づけ、遊技の興趣を高めることが可能になる。また、パチンコ機に客が付かない状態においては、風車６０Ａ、６０Ｂ、入賞口６２、及び、普通図柄作動ゲート６４，６４を左右に移動することで客の注意を引くことができ、パチンコ機の客付きを良くすることが可能となる。
【図面の簡単な説明】
【図１】本発明の第１実施形態に係るパチンコ機の正面図である。
【図２】発射ハンドルを操作しない状態のパチンコ機の遊技領域の正面図である。
【図３】発射ハンドルを操作した状態のパチンコ機の遊技領域の正面図である。
【図４】図４（Ａ）は、図２に示す発射ハンドルを操作しない状態のセンターケースを、図４（Ｂ）は、図３に示す発射ハンドルを操作して、遊技球を発射している状態のセンターケースを示す斜視図である。
【図５】第２実施形態に係るパチンコ機の遊技領域の正面図である。
【符号の説明】
１０  パチンコ機
１３  遊技盤
２３  発射ハンドル
３０  センターケース
３１  天入賞口
３４  特別図柄表示器
３６  傾斜板
３６ａ  遊技情報表示部
３７  開閉部材
４１  第１種始動口
４２  普通電動役物
５１  大入賞口
６５  アウト口
【図１】
0003976519.tif 000002
【図２】
0003976519.tif 000003
【図３】
0003976519.tif 000004
【図４】
0003976519.tif 000005
【図５】
0003976519.tif 000006